(57)【要約】【課題】  スミアと境界ブリーディングを抑制し、かつ、高品位な黒文字品位を記録可能なインクジェット記録装置を提供する。【解決手段】  ブラックにカラーインクを重ねて印字することでブラック−カラー間のにじみ低減Ｂｋの定着性向上を行なっている反応系インクシステムにおいて、ブラックと隣接するカラーよってブラックのベタ（エッジ）領域、ブラック−カラー間にじみ防止下打ちのＯＮ／ＯＦＦ、ブラックに隣接するカラーを間引くことによりブラックーカラー間にじみ及び定着性を向上させる。【選択図】  図１
2006130778.tif 000002
【特許請求の範囲】
【請求項１】
ブラックインクと少なくとも１つのカラーインクを記録可能な記録ヘッドを用いて記録を行う記録装置において、
カラードットが存在するエリアを特定するため、各色の論理和をとることで検出するカラードットエリア検出手段と
ブラックーホワイト間ベタ部画素を検出するブラックーホワイト間ベタ部画素検出手段と
ブラックーカラー間ベタ部画素を検出するブラックーカラー間ベタ部検出手段と
カラードットが近接するブラック画素を検出するカラードット近接画素検出手段と
前記手段により検出されたデータからブラックベタ部データを生成し、そのブラックベタ部データとブラック間引きマスクとの論理積をとることでブラックデータを間引くブラックベタ部間引きデータ生成手段と
ブラックベタ部データとオリジナルブラックデータからブラックエッジ部データを生成し、前記手段により生成されたブラックベタ部間引きデータとで論理和をとることで印字用ブラックデータを生成する印字用ブラックデータ生成手段と
ブリーディング防止用のカラーデータを選択するエッジ部カラー付与選択手段と
前記エッジ部カラー付与選択手段より選択されたエッジ部付与カラーとオリジナルブラックとでブリーディング防止用エッジ部カラー付与データを検出するエッジ部カラー付与検出手段と
ブラックに隣接するカラーデータを間引くためのカラー間引き選択カラーをするカラー間引き選択手段と
前記カラー間引き選択手段により選択されたカラー間引き選択カラーとオリジナルブラックデータによりカラー間引き反転マスクを生成するためのカラー間引き反転画像生成手段と
前記カラー間引き選択手段により選択されたカラーデータのみに生成されたカラー間引き反転マスクを選択し、選択されていない場合はカラー間引き反転をすべて‘１’にするカラー間引き反転マスク選択手段と
前記ブラックベタ部間引きデータと第１のカラードット付与用マスクとの論理積をとることで付与するカラードットデータを生成する第１のカラードット付与データ生成手段と
前記カラードット近接画素と第２のカラードット付与用マスクとの論理積をとることで付与するカラードットデータを生成する第２のカラードット付与データ生成手段と
前記第１のカラードット付与データ生成手段と前記第２のカラードット付与データ生成手段とで論理和をとることで生成されるカラードット付与データ生成手段と
前記カラードット付与データ生成手段により生成されたカラードット付与データとオリジナルカラーデータとで論理和をとったものと前記カラー間引き反転マスク選択手段により選択されたカラー間引き反転マスクと論理積をとることでカラーデータを生成するカラーデータ生成手段と
前記手段により生成された印字用ブラックデータと前記手段により生成されたカラーデータに基づいて記録を行う記録手段と
を有することを特徴とするインクジェット記録装置。
【請求項２】
前記ブラックーホワイト間ベタ部画素検出手段は、着目画素を中心としたＬ×Ｍ（Ｌ，Ｍ＝１，３，５．．．ｎ，ｎ＋２）のマトリクス内に存在するブラックドットの数をカウントし、着目画素にブラックドットが存在し、かつ、カウント値が所定の値を越えた場合に、前記着目画素をブラックドット近接画素とすることを特徴とする請求項１に記載のインクジェット記録装置。
【請求項３】
前記ブラックーカラー間ベタ部画素検出手段は、着目画素を中心としたＬ×Ｍ（Ｌ，Ｍ＝１，３，５．．．ｎ，ｎ＋２）のマトリクス内に存在するブラックドットの数をカウントし、着目画素にブラックドットが存在し、かつ、カウント値が所定の値を越えた場合に、前記着目画素をブラックドット近接画素とすることを特徴とする請求項１に記載のインクジェット記録装置。
【請求項４】
前記カラードット近接画素検出手段は、着目画素を中心としたＬ×Ｍ（Ｌ，Ｍ＝１，３，５．．．ｎ，ｎ＋２）のマトリクス内に存在するカラードットの数をカウントし、着目画素にブラックドットが存在し、かつ、カウント値が所定の値を越えた場合に、前記着目画素をカラードット近接画素とすることを特徴とする請求項１に記載のインクジェット記録装置。
【請求項５】
前記カラードット近接画素検出手段は、オリジナルカラーデータを近傍８方向へ所定の画素数分ボールドしたデータと、オリジナルブラックデータとの論理積をとったデータをカラードット近接画素とすることを特徴とする請求項１に記載のインクジェット記録装置。
【請求項６】
前記ブラックベタ部データ生成手段は、前記カラードット近接画素検出手段により検出されたカラードット近接画素と、前記ブラックーカラー間ベタ部画素検出手段により検出されたブラックーカラー間ベタ部画素とで論理積をとったものと前記ブラックーホワイト間ベタ部画素検出手段により検出されたブラックーホワイト間ベタ部画素と論理和をとることでブラックベタ部データを生成することを特徴とする請求項１に記載のインクジェット記録装置。
【請求項７】
前記ブラックベタ部間引きデータ生成手段は、前記ブラックベタ部データ生成手段により生成されたブラックベタ部データとブラック間引きマスクとで論理積をとることでブラックベタ部間引きデータを生成することを特徴とする請求項１に記載のインクジェット記録装置。
【請求項８】
前記印字用ブラックデータ生成手段は、前記ブラックベタ部データ生成手段により生成されたブラックベタ部データとオリジナルブラックデータとで排他的論理和をとり生成されるブラックエッジ部データと、前記ブラックベタ部間引きデータ生成手段により生成されたブラックベタ部間引きデータとで論理和をとることで印字用ブラックデータを生成することを特徴とする請求項１に記載のインクジェット記録装置。
【請求項９】
前記エッジ部カラー付与選択手段は、ブリーディング防止用のカラー付与を行う色を選択し、選択された色に必要なオリジナルカラーデータの論理和をとることでエッジ部付与カラーを生成することを特徴とする請求項１に記載のインクジェット記録装置。
【請求項１０】
前記エッジ部カラー付与検出手段は、着目画素を中心としたＬ×Ｍ（Ｌ，Ｍ＝１，３，５．．．ｎ，ｎ＋２）のマトリクス内に存在するカラードットの数をカウントし、着目画素にブラックドットが存在し、かつ、カウント値が所定の値を越えた場合に、前記着目画素をカラードット近接画素とすることを特徴とする請求項１に記載のインクジェット記録装置。
【請求項１１】
前記エッジ部カラー付与検出手段は、エッジ部付与カラーデータを近傍８方向へ所定の画素数分ボールドしたデータと、オリジナルブラックデータとの論理積をとったデータをエッジ部カラー付与画素とすることを特徴とする請求項１に記載のインクジェット記録装置。
【請求項１２】
前記カラー間引き選択手段は、ブラックに隣接するカラーデータを間引く色を選択し、選択された色に必要なオリジナルカラーオリジナルカラーデータの論理和をとることでカラー間引き選択カラーデータを生成することを特徴とする請求項１に記載のインクジェット記録装置。
【請求項１３】
前記カラー間引き反転画像生成手段は、着目画素を中心としたＬ×Ｍ（Ｌ，Ｍ＝１，３，５．．．ｎ，ｎ＋２）のマトリクス内に存在するカラードットの数をカウントし、着目画素にブラックドットが存在し、かつ、カウント値が所定の値を越えた場合に、前記着目画素をカラードット近接画素とすることを特徴とする請求項１に記載のインクジェット記録装置。
【請求項１４】
前記カラー間引き反転画像生成手段は、カラー間引き選択カラーデータを近傍８方向へ所定の画素数分ボールドしたデータと、オリジナルブラックデータとの論理積をとったものとカラー間引きマスクとで否定論理積をとることをカラー間引き反転画像とすることを特徴とする請求項１に記載のインクジェット記録装置。
【請求項１５】
第１のカラードット付与用マスクは、インク色毎に独立に備えることを特徴とする請求項１に記載のインクジェット記録装置。
【請求項１６】
前記カラーインクがイエロー，マゼンタ，シアンの３色であることを特徴とする請求項１に記載のインクジェット記録装置。
【請求項１７】
前記カラードット近接画素検出手段が検出するカラードットは、イエロー，マゼンタ，シアンデータの論理和をとったデータとすることを特徴とする請求項１に記載のインクジェット記録装置。
【請求項１８】
前記ブラックインクは比較的浸透性の低いインクであり、前記カラーインクは比較的浸透性の高いインクであることを特徴とする請求項１に記載のインクジェット記録装置。
【請求項１９】
前記カラーインクの内少なくとも１つは前記ブラックインクと反応して凝集するタイプの反応系インクであることを特徴とする請求項１に記載のインクジェット記録装置。
【請求項２０】
前記ブラックインクと反応して凝集するタイプのインクがシアンインクであることを特徴とする請求項６に記載のインクジェット記録装置。
【請求項２１】
前記ブラックとカラーの解像度が違う場合において、前記カラードットエリアにおいてカラーデータを任意の圧縮方法で圧縮したデータをカラードットエリアデータとすることを特徴とする請求項１に記載のインクジェット記録装置。
【請求項２２】
前記ブラックとカラーの解像度が違う場合において、前記カラードット付与データにおいてデータを任意の展開方法で展開したデータをカラードット付与データとすることを特徴とする請求項１に記載のインクジェット記録装置。
【請求項２３】
インクを吐出する記録ヘッドを用い、ブラックインクと少なくとも１つのカラーインクを前記記録ヘッドにより記録媒体上に吐出して記録を行う記録装置における、記録を行うデータを処理する記録データ処理方法であって、
記録を行うデータに基づいて、ブラックの画像を構成する画素のうち、近接する画素がブラックインクにより記録される画素からなるブラック近接画素と、近接する画素にカラーインクにより記録される画素を含むカラー近接画素の少なくともいずれか一方を抽出する抽出工程と、
前記抽出工程において抽出された、前記ブラック近接画素または前記カラー近接画素に対して、定められた比率に従ってカラーインクによる画素を記録するよう、カラーインクに対応したデータを生成するデータ生成工程と、
前記抽出工程において抽出された前記ブラック近接画素を間引く間引き工程と、からなることを特徴とする記録データ処理方法。
【発明の詳細な説明】
【技術分野】
【０００１】
本発明は、ブラックインクと少なくとも１つのカラーインクを記録可能な複数の記録ヘッドを用いて記録を行う記録装置に関するものである。
【背景技術】
【０００２】
従来、各種の被記録媒体に対して記録を行うインクジェット記録装置は、高密度かつ高速な記録動作が可能であることから、各種装置の出力媒体としてのプリンタ、あるいはポータブルプリンタ等として応用され、かつ商品化されている。
【０００３】
一般にインクジェット記録装置は、記録手段（記録ヘッド）およびインクタンクを搭載するキャリッジと、被記録媒体を搬送する搬送手段とこれらを制御するための制御手段とを具備する。そして、複数の吐出口からインク滴を吐出させる記録ヘッドを記録紙の搬送方向（副走査方向）と直交する方向（主走査方向）にシリアルスキャン（記録走査）させるとともに、それぞれの記録走査の間に被記録媒体を所定の幅（例えば、記録幅に等しい量）で間欠搬送するものである。
【０００４】
この記録方法は、記録信号に応じてインクを記録用紙上に吐出させて記録を行うものであり、ランニングコストが安く、静かな記録方式として広く用いられている。また近年では、複数色のインクを用い、カラー記録装置に応用した製品も数多く実用化されている。
【０００５】
このようなカラーインクジェット記録装置において、ブラックインクは文字等の印刷に多用されることから、印刷のシャープさ、鮮明さ及び高い印字濃度が要求される。そこで、被記録材に対するブラックインクの浸透性を下げ、ブラックインク中の色材が被記録材へ浸透するのを抑制する技術が知られている（例えば、特許文献１参照）。
【０００６】
一方、カラーインクは、異なる色の２種のインクが隣接して被記録材に付与されたときに、該インク同士が境界部で混ざりあってしまいカラー画像の品位を低下させる現象（ブリーディング）が発生する。これを防ぐために、被記録材に対する浸透性を上げ、カラーインク同士が被記録材表面で混ざり合うことを防止する技術が知られている（例えば、特許文献２参照）。
【０００７】
しかしながら、上記インクセットを用いた場合、以下の２つの問題が発生する。
【０００８】
第１にカラーインクは浸透性が高いため定着時間は早いものの、ブラックインクは浸透性が低いため乾燥定着時間が長くかかる。これにより、前のページが排紙された後に、連続して次のページが排紙されると、前のページのブラックインクが完全に乾いていないために前のページの印字面及び次のページの印字裏面を汚してしまう場合がある。（このような印字面および裏面の汚れを以下「スミア」とよぶ。）この問題は印刷速度の向上に伴い大きな問題となってくる。
【０００９】
第２にブラックインクは浸透性が低いためにブラックとカラーが接する画像においてブラックとカラーの境界領域でにじみ（境界ブリーディング）が発生する。これはカラーの記録画像の品質を著しく低下させる問題である。
【００１０】
これら２つの解決策として、従来から以下のような対策がとられている。
【００１１】
第１の対策は、加熱定着器等の定着手段を設ける方法である。これにより紙面に高速にインクを定着させることでスミア及び境界ブリーディングを防止することが可能になる。
【００１２】
第２の対策は、排紙待ち制御を行う方法がある。これは１枚目が印刷されて十分に乾燥するまでの間、２枚目の印刷開始を一時停止するか、または２枚目を印字終了した後に排紙動作を一時停止するものである。これによりスミアは抑えることができる。
【００１３】
第３の対策は、浸透性の高いカラーインクをブラックインクの印字領域に重ねて印字する方法である。カラーインクによって紙面が塗れた状態の上にブラックインクが印字されるためブラックインクは紙面に定着しやすくなり、スミアを抑えることができる。さらに、ブラックとカラーインクが反応して凝集するタイプのインクセットを用いることで境界ブリーディングを抑えることができる。
【００１４】
第４の対策は、第３の対策と同様な浸透性の高いカラーインクをブラックインクの印字領域に重ねて印字する方法であり、ブラックとカラーの領域を判別することで、スミアを防止する領域と境界ブリーディングを防止する領域とに分け、それぞれにブラックインクの定着に必要なカラーインク付与量を付与することでスミアと境界ブリーディングの抑制を両立させている。
【００１５】
【特許文献１】特開平０９−０２５４４２号公報
【特許文献２】特開昭５５−０６５２６９号公報
【発明の開示】
【発明が解決しようとする課題】
【００１６】
しかしながら、上述した方法においては以下の不具合があった。
【００１７】
第１の対策の不具合は、定着手段を設けることで装置の大型化、コストの増大はさけられなくなる。またシリアルプリンタにおいて、紙送りが間欠的であるため定着器を通す際に送りムラが生じてしまう可能性もある。
【００１８】
第２の対策の不具合は、排紙待ちを行うことで記録要する時間が長くなり、スループットが低下することである。
【００１９】
第３の対策の不具合は、カラーインクを重ねて印字することで黒画像のシャープネスの劣化、黒文字品位の劣化を伴うことである。また、スミア防止に必要なカラーインク付与量と境界ブリーディングを防止するのに必要なカラーインク付与量が異なる場合にスミアと境界ブリーディングの抑制を両立させることが困難である。
【００２０】
第４の対策の不具合は、第３の対策の不具合を解決すべくスミア防止に必要なカラーインク付与量と境界ブリーディングを防止するのに必要なカラーインク付与量を別々に付与を行うことである程度スミアと境界ブリーディングの抑制を両立させることが可能であるが、ブラックに隣接するそれぞれのカラーインクの特性により境界ブリーディングを防止するのに必要なカラーインク付与を行った方がよい場合と行わないほうがよい場合がありまた、隣接するカラーの濃度が高い場合カラーインク付与の有無にかかわらずブリーディングが発生してしまう。
【００２１】
本発明は以上の点を鑑みてなされたものであり、スミアと境界ブリーディングを抑制し、かつ、高品位な黒文字品位を記録可能なインクジェット記録装置を提供するものである。
【課題を解決するための手段】
【００２２】
上記目的を達成するための本発明による記録装置は以下の構成を備える。すなわち、ブラックインクと少なくとも１つのカラーインクを記録可能な記録ヘッドを用いて記録を行う記録装置において、カラードットが存在するエリアを特定するため、各色の論理和をとることで検出するカラードットエリア検出手段と、ブラックーホワイト間ベタ部画素を検出するブラックーホワイト間ベタ部画素検出手段と、ブラックーカラー間ベタ部画素を検出するブラックーカラー間ベタ部検出手段と、カラードットが近接するブラック画素を検出するカラードット近接画素検出手段と、前記手段により検出されたデータからブラックベタ部データを生成し、そのブラックベタ部データとブラック間引きマスクとの論理積をとることでブラックデータを間引くブラックベタ部間引きデータ生成手段と、ブラックベタ部データとオリジナルブラックデータからブラックエッジ部データを生成し、前記手段により生成されたブラックベタ部間引きデータとで論理和をとることで印字用ブラックデータを生成する印字用ブラックデータ生成手段と、ブリーディング防止用のカラーデータを選択するエッジ部カラー付与選択手段と、前記エッジ部カラー付与選択手段より選択されたエッジ部付与カラーとオリジナルブラックとでブリーディング防止用エッジ部カラー付与データを検出するエッジ部カラー付与検出手段と、ブラックに隣接するカラーデータを間引くためのカラー間引き選択カラーをするカラー間引き選択手段と、前記カラー間引き選択手段により選択されたカラー間引き選択カラーとオリジナルブラックデータによりカラー間引き反転マスクを生成するためのカラー間引き反転画像生成手段と、前記カラー間引き選択手段により選択されたカラーデータのみに生成されたカラー間引き反転マスクを選択し、選択されていない場合はカラー間引き反転をすべて‘１’にするカラー間引き反転マスク選択手段と、前記ブラックベタ部間引きデータと第１のカラードット付与用マスクとの論理積をとることで付与するカラードットデータを生成する第１のカラードット付与データ生成手段と、前記カラードット近接画素と第２のカラードット付与用マスクとの論理積をとることで付与するカラードットデータを生成する第２のカラードット付与データ生成手段と、前記第１のカラードット付与データ生成手段と前記第２のカラードット付与データ生成手段とで論理和をとることで生成されるカラードット付与データ生成手段と、前記カラードット付与データ生成手段により生成されたカラードット付与データとオリジナルカラーデータとで論理和をとったものと前記カラー間引き反転マスク選択手段により選択されたカラー間引き反転マスクと論理積をとることでカラーデータを生成するカラーデータ生成手段と、前記手段により生成された印字用ブラックデータと前記手段により生成されたカラーデータに基づいて記録を行う記録手段と、を有することを特徴とする。
【００２３】
また、本発明は、インクを吐出する記録ヘッドを用い、ブラックインクと少なくとも１つのカラーインクを前記記録ヘッドにより記録媒体上に吐出して記録を行う記録装置における、記録を行うデータを処理する記録データ処理方法であって、記録を行うデータに基づいて、ブラックの画像を構成する画素のうち、近接する画素がブラックインクにより記録される画素からなるブラック近接画素と、近接する画素にカラーインクにより記録される画素を含むカラー近接画素の少なくともいずれか一方を抽出する抽出工程と、前記抽出工程において抽出された、前記ブラック近接画素または前記カラー近接画素に対して、定められた比率に従ってカラーインクによる画素を記録するよう、カラーインクに対応したデータを生成するデータ生成工程と、前記抽出工程において抽出された前記ブラック近接画素を間引く間引き工程と、からなることを特徴とする。
【発明の効果】
【００２４】
本発明によれば、ブラックに隣接するカラーによりブラックデータのエッジ部の幅およびブラックとカラー間のブラックエッジ部の下に付加するカラー付与、およびブラックとカラー間のカラーを間引くカラー間引きを切り替えることでインクの特性や記録装置の特性に合わせて最適な組み合わせを設定することにより、定着性の悪いブラックデータを間引き、ブラック−カラー間の境界領域に適切なカラードットの付与を行い、また最適なカラーを間引くことで境界ブリーディングを防止することができる。また、ブラックのデューティが高い領域には、適切なカラードットを付与することでスミアを防止することが可能となる。さらに、黒文字等のエッジ領域にはカラードットの付与が行われないためシャープな黒画像の記録が可能となる。
【発明を実施するための最良の形態】
【００２５】
以下、図面を参照して本発明の記録装置に係わる実施形態を説明する。なお、以下に説明する実施形態では、インクジェット記録方式を用いた記録装置としてプリンタを例に挙げ説明する。
【００２６】
この明細書において、「記録」（「印字」、「印刷」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２７】
また、「記録媒体」（「印字紙」、「記録紙」という場合もある）とは、一般的な記録装置で用いられる紙のみならず、広く、布、プラスチック・フィルム、金属板、ガラス、セラミックス、木材、皮革等、インクを受容可能なものも表すものとする。
【００２８】
（１）カラー記録装置の説明
図２９は、本発明を適応可能なカラーインクジェット記録装置の一実施例の構成を示す概略斜視図である。この図において、１０１はインクカートリッジである。これらは、４色のカラーインク（ブラック、シアン、マゼンタ、イエロー）がそれぞれ入れられたインクタンクと、記録ヘッド１０２から構成されている。１０３は紙送りローラで、１０４の補助ローラとともに印字紙１０７を抑えながら図中の矢印方向に回転し、印字紙１０７の給紙を行うとともに、給紙ローラ１０５と紙送りローラ１０３、補助ローラ１０４とで印字紙１０７を抑える役割も果たしている。１０６はキャリッジであり、４つのインクカートリッジを支持し、搭載するインクカートリッジ１０１および記録ヘッド１０２を、記録ヘッドに形成されたノズルからインクを吐出させながら、図中ｘ方向に往復移動する。このキャリッジ１０６は、記録装置が印字を行っていないとき、あるいは記録ヘッドの回復動作を行うときには図の点線で示したホームポジション位置ｈに待機するように制御される。
【００２９】
印字開始前、図の位置ｈ（ホームポジション）に位置するキャリッジ１０６は、印字開始命令がくると、ｘ方向に移動しながら記録ヘッド１０２に配列された記録素子を駆動して紙面上に記録ヘッドの記録幅に対応した領域の印字を行う。キャリッジの走査方向に沿って、紙面端部まで印字が終了すると、キャリッジは元のホームポジションに戻り、再びｘ方向への記録を行う。前回の記録走査が終了してから、続く記録走査が始まる前に紙送りローラ１０３が図に示した矢印方向へ回転して必要な幅だけｙ方向への紙送りが行われる。このように印字のためのキャリッジの主走査（記録走査）と紙送り（搬送）とを繰り返すことにより一紙面上への印字が完成する。記録ヘッドからインクを吐出する記録動作は、記録制御手段（不図示）からの制御に基づいて行われる。
【００３０】
また、記録速度を高めるため、一方向への主走査時のみ記録を行うのではなく、ｘ方向（往方向）への主走査の記録が終わりキャリッジをホームポジション側へ戻す際の復路（復方向）においても記録を行う構成であってもよい。このように往復の両方向において記録を行うことで記録速度を向上させることが可能となる。
【００３１】
また、以上説明した例ではインクタンクと記録ヘッドとが分離可能にキャリッジ１０６に保持しているものである。記録用のインクを収容するインクタンク１０１と記録紙１０７に向けてインクを吐出する記録ヘッド１０２とが一体になったインクジェットカートリッジであってもよい。さらに、一つの記録ヘッドから複数色のインクを吐出可能な複数色一体型記録ヘッドを用いてもよい。
【００３２】
前述の回復動作を行う位置には、ヘッドの前面（吐出口面）をキャップするキャッピング手段（不図示）や、キャッピング手段によるキャップ状態で記録ヘッド内の増粘インクや気泡を除去する等のヘッド回復動作を行う回復ユニット（不図示）が設けられている。また、キャッピング手段の側方には、記録ヘッド１０２に向けて突出可能に支持され、記録ヘッドのノズル（吐出口）が形成された面との当接が可能な、クリーニングブレード（不図示）等が設けられている。回復動作後に、クリーニングブレードを記録ヘッドの移動経路中に突出させ、記録ヘッドの移動にともなってノズル形成面に付着した不要なインク滴や汚れ等の払拭が行われる。
【００３３】
（２）記録ヘッドの説明
次に、上述した記録ヘッド１０２について図３０を参照して説明する。図３０は、図２９に示した記録ヘッド１０２の要部斜視図である。記録ヘッド１０２は、図３０に示すようにそれぞれが所定のピッチで複数の吐出口３００が形成されており、共通液室３０１と各吐出口３００とを連結する各液路３０２の壁面に沿ってインク吐出用のエネルギーを発生するための記録素子３０３が配設されている。記録素子３０３とその回路はシリコン上に半導体製造技術を利用して作られている。また、温度センサ（不図示）、サブヒータ（不図示）も同一シリコン上に半導体製造プロセスと同様のプロセスで一括形成される。これらの電気配線が作られたシリコンプレート３０８を放熱用のアルミベースプレート３０７に接着している。また、シリコンプレート上の回路接続部３１１とプリント板３０９とは超極細ワイヤー３１０により接続され記録装置本体からの信号は信号回路３１２を通して受け取られる。液路３０２および共通液室３０１は射出成形により作られたプラスチックカバー３０６で形成されている。共通液室３０１は、前述したインクタンク（図２９参照）とジョイントパイプ３０４とインクフィルター３０５を介して連結しており、共通液室３０１にはインクタンクからインクが供給される構成となっている。インクタンクから共通液室３０１に供給されて一時的に貯えられたインクは、毛管現象により液路３０２に侵入し、吐出口３００でメニスカスを形成して液路３０２を満たした状態を保つ。このとき、電極（不図示）を介して記録素子３０３が通電されて発熱すると、記録素子３０３上のインクが急激に加熱されて液路３０２内に気泡が発生し、この気泡の膨張により吐出口３００からインク滴３１３が吐出される。
【００３４】
（３）制御構成の説明
次に、装置構成の各部の記録制御を実行するための制御構成について、図３１に示すブロック図を参照して説明する。制御回路を示す同図において、４００は記録信号を入力するインターフェ−ス、４０１はＭＰＵ、４０２はＭＰＵ４０１が実行する制御プログラムを格納するプログラムＲＯＭ、４０３は各種データ（上記記録信号やヘッドに供給される記録データ等）を保存しておくダイナミック型のＲＡＭ（ＤＲＡＭ）であり、印字ドット数や、インク記録ヘッドの交換回数等も記憶できる。４０４は記録ヘッドに対する記録データの供給制御を行うゲートアレイであり、インターフェース４００、ＭＰＵ４０１、ＤＲＡＭ４０３間のデータの転送制御も行う。４０５は記録ヘッドを搬送するためのキャリアモータ（ＣＲモータ）、４０６は記録用紙搬送のための搬送モータ（ＬＦモータ）である。４０７、４０８は夫々搬送モータ４０５、キャリアモータ４０６を駆動するモータドライバである。４０９は記録ヘッド４１０を駆動するヘッドドライバーである。
【００３５】
＜実施形態１＞
実施形態１の概要
本実施形態においては、ブラックの着目画素を中心とした５×５のマトリックス内に存在するブラックドットの数をカウントし、ブラックドットが２５ドット存在する場合に着目画素をブラック−ホワイト間隣接ブラックドットベタ画素とし、ブラックの着目画素を中心とした３×３のマトリックス内に存在するブラックドットの数をカウントし、ブラックドットが９ドット存在する場合に着目画素をブラック−カラー間隣接ブラックドットベタ画素とし、またブラックの着目画素を中心とした５×５のマトリクス内に存在するカラードットの数をカウントし、着目画素にブラックドットが存在し、かつ、カラードットが１ドット以上存在する場合に、着目画素をカラードット隣接画素とし、これら検出した画素からＢｋベタ部を生成する。また、Ｂｋベタ部とオリジナルＢｋデータからＢｋエッジ部を生成し、Ｂｋベタ部をＢｋ間引きマスクと論理積をとったＢｋベタ部間引きデータとＢｋエッジ部を論理和することで、印字用Ｂｋベータを生成する。
【００３６】
上記Ｂｋベタ部間引きデータと第１のカラードット付与用マスクとの論理積をとることで第１のカラードット付与データを生成する。また、ブラックーカラー間に付与するエッジ部付与カラー選択により選択された各カラーデータの論理和をとり、ブラックの着目画素を中心とした３×３のマトリクス内に存在する選択付与カラードットの数をカウントし、着目画素にブラックドットが存在し、かつ、選択付与カラードットが１ドット以上存在する場合に、着目画素をエッジ部付与画素とし第２のカラードット付与用マスクとの論理積をとることで第２のカラードット付与データを生成する。
【００３７】
また、ブラックーカラー間のカラーデータを間引く間引きカラー選択により選択された各カラーデータの論理和をとり、ブラックの着目画素を中心とした３×３のマトリクス内に存在する選択間引きカラードットの数をカウントし、着目画素にブラックドットが存在し、かつ、選択間引きカラードットが１ドット以上存在する場合に、着目画素を間引きカラー画素としカラー間引きマスクと論理積をとり画素を反転させたカラー間引き反転マスクをカラー間引き反転マスク選択で選択されたカラーのみに検出したカラー間引き反転マスクを選択し、選択されていないカラーとは全て‘１’のカラー間引き反転マスクを選択する。
【００３８】
上記印字用Ｂｋベータと、上記第１のカラードット付与データと第２のカラードット付与データとカラー間引き反転マスクとオリジナルカラーデータとで合成して記録することで境界ブリーディングとスミアを防止し高品位な黒文字を記録可能とする。
【００３９】
（全体のデータ処理）
図１は、ブラック−ホワイト間ベタ部画素の検出、ブラック−カラー間ベタ部画素の検出、ブラックドット近傍画素の検出、エッジ部カラー付与画素の検出、カラー間引き画素の検出、印字用Ｂｋデータの生成、カラードット付与データの生成、印字用ＣＭＹデータの生成の流れを説明するブロック図である。
【００４０】
オリジナルＢｋデータ（Ｄ１０００）を用いて、ブラックドット近傍画素の検出処理（Ｅ１００２）で生成されたデータと、オリジナルＣデータ（Ｄ１００５），オリジナルＭデータ（Ｄ１００６），オリジナルＹデータ（Ｄ１００７）の論理和をとったオリジナルＣ，Ｍ，ＹのＯＲデータ（Ｄ１００８）とオリジナルＢｋデータ（Ｄ１０００）を用いて、ブラックーカラー間ベタ部画素の検出処理（Ｅ１００１）で生成されたデータの論理積と、ブラックーホワイト間ベタ部画素の検出処理（Ｅ１０００）で生成されたデータの論理和をとることで、Ｂｋベタ部データ（Ｄ１００１）を生成し、Ｂｋベタ部データ（Ｄ１００１）に対しＢｋ間引きマスク（Ｄ１００８）との論理積をとることでＢｋベタ部間引きデータ（Ｄ１０３２）を生成し、Ｂｋベタ部データ（Ｄ１００１）とオリジナルブラックデータ（Ｄ１０００）との否定論理積をとることで生成するＢｋエッジ部データ（Ｄ１００２）とＢｋベタ部間引きデータ（Ｄ１０３２）の論理和をとることで印字用ブラックデータ（Ｄ１０２８）を生成する。
【００４１】
また、上記スミア防止用にカラードットを付与すべきＢｋベタ部間引きデータ（Ｄ１０３２）に対してＣマスク１（Ｅ１００９），Ｍマスク１（Ｅ１０１０），Ｙマスク１（Ｅ１０１１）との論理積をとることでＣ付与データ１（Ｄ１０１８），Ｍ付与データ１（Ｄ１０１９），Ｙ付与データ１（Ｄ１０２０）を生成する。次に、エッジ部付与カラー選択でオリジナルＣデータ（Ｄ１００５），オリジナルＭデータ（Ｄ１００６），オリジナルＹデータ（Ｄ１００７）のうち選択したデータとオリジナルブラックデータの反転データとで論理和をとったエッジ部カラー付与選択カラーエリア（Ｄ１０１０）とオリジナルＢｋデータ（Ｄ１０００）を用いて、境界ブリーディング防止用にカラードットを付与すべきエッジ部カラー付与データの検出処理（Ｅ１００５）を行い、エッジ部カラー付与画素データ（Ｄ１０１１）を生成する。エッジ部カラー付与画素データ（Ｄ１０１１）に対して、Ｃマスク２（Ｅ１００６），Ｍマスク２（Ｅ１００７），Ｙマスク２（Ｅ１００８）との論理積をとることでＣ付与データ２（Ｄ１０１２），Ｍ付与データ２（Ｄ１０１３），Ｙ付与データ２（Ｄ１０１４）を生成する。次に間引きカラー選択でオリジナルＣデータ（Ｄ１００５），オリジナルＭデータ（Ｄ１００６），オリジナルＹデータ（Ｄ１００７）のうち選択したデータの論理和をとったものとオリジナルＢｋデータ（Ｄ１０００）を用いて、ブラックーカラー間のカラーデータを間引くべくカラー間引きデータの検出処理（Ｅ１０２６）を行い、カラー間引きデータ（Ｄ１０２５）を生成する。カラー間引きデータ（Ｄ１０２５）に対しカラー間引きマスク（Ｄ１０２６）とで排他的論理和をとることで、カラー間引き反転マスクデータ（Ｄ１０３３）を生成し、カラー間引き反転マスク選択（Ｄ１０２７）により、間引きカラー選択（１０２４）により選択されたカラーデータのみ検出したカラー間引き反転マスク（Ｄ１０３３）を選択し、間引きカラー選択（１０２４）により選択されていないカラーデータには、カラー間引き反転マスクデータ（Ｄ１０３３）が全て‘１’になるようなカラー間引き反転マスクデータ（Ｄ１０３３）を選択する。次にオリジナルＣデータ（Ｄ１００５）とＣ付与データ１（Ｄ１０１８）とＣ付与データ２（Ｄ１０１２）で論理和をとりカラー間引き反転マスク選択（Ｄ１０２７）により選択されたカラー間引き反転マスクデータ（Ｄ１０３３）と論理積をとることで印字用Ｃデータ（Ｄ１０２９）を生成する。同様の処理を行うことで印字用のＭデータ（Ｄ１０３０），印字用のＹデータ（Ｄ１０３１）を生成する。
【００４２】
（カラードットエリアの検出）
図２はカラードットエリアの検出例を図にしたものである。
【００４３】
図２−（ａ）はオリジナル画像、図２−（ｅ）はオリジナルＢｌａｃｋ画像、図２−（ｂ）はオリジナルＣｙａｎ画像、図２−（ｃ）はオリジナルＭａｇｅｎｔａ画像、図２−（ｄ）はオリジナルＹｅｌｌｏｗ画像を示している。これらオリジナルＣｙａｎ、オリジナルＭａｇｅｎｔａ、オリジナルＹｅｌｌｏｗとの論理和をとることで図２−（ｆ）に示すようにカラードットエリア画像が検出できる。
【００４４】
（印字用ブラックデータの生成）
《ブラック−ホワイト間ベタ部データの検出》
図３はブラック−ホワイト間ベタ部データの検出処理のフローチャート図である。
【００４５】
着目画素にブラックドットが存在し、かつ、５×５マトリクス内に存在する総ブラックドット数が２５であるか否かを判定する（Ｓ１０１）。もし、総ブラックドット数が２５の場合は着目画素のビットをオンにする（Ｓ１０２）。そうでない場合には、着目画素のビットをオフにする（Ｓ１０３）。続いて、着目画素をシフトさせる（Ｓ１０４）。全てのデータが終了すれば終了（Ｓ１０５）とし、そうでなければ上記処理を繰り返す。ここでは、総ブラックドット数の閾値を２５としたがインクの特性や記録装置の特性に合わせて最適な値を用いることが好ましい。
【００４６】
図４は、ブラック−ホワイト間ベタ部データの検出例を図にしたものである。
【００４７】
図４−（ａ）は、着目画素を中心とした５×５マトリクスを表している。図４−（ｂ）はブラックオリジナル画像である。ブラックオリジナルデータに対して５×５マトリクスを順次１画素づつシフトさせながら処理を行う。マトリクス内のブラック総ドット数が２５の場合に着目画素のビットをオンにしていくと、図４−（ｃ）に表すような結果が得られる。この検出結果をブラック−ホワイト間近傍ブラックベタ部画素としている。
【００４８】
図４−（ｃ）を見てわかるように、この処理によってブラックとホワイト間の２ドット内側のブラックの比較的デューティの高い領域のみが検出される。
【００４９】
《ブラック−カラー間ベタ部データの検出》
図５はブラック−カラー間ベタ部データの検出処理のフローチャート図である。
【００５０】
着目画素にブラックドットが存在し、かつ、３×３マトリクス内に存在する総ブラックドット数が９であるか否かを判定する（Ｓ２０１）。もし、総ブラックドット数が９の場合は着目画素のビットをオンにする（Ｓ２０２）。そうでない場合には、着目画素のビットをオフにする（Ｓ２０３）。続いて、着目画素をシフトさせる（Ｓ２０４）。全てのデータが終了すれば終了（Ｓ２０５）とし、そうでなければ上記処理を繰り返す。ここでは、総ブラックドット数の閾値を９としたがインクの特性や記録装置の特性に合わせて最適な値を用いることが好ましい。
【００５１】
図６は、ブラック−カラー間ベタ部データの検出例を図にしたものである。
【００５２】
図６−（ａ）は、着目画素を中心とした３×３マトリクスを表している。図６−（ｂ）はブラックオリジナル画像である。ブラックオリジナルデータに対して３×３マトリクスを順次１画素づつシフトさせながら処理を行う。マトリクス内のブラック総ドット数が９の場合に着目画素のビットをオンにしていくと、図６−（ｃ）に表すような結果が得られる。この検出結果をブラック−カラー間近傍ブラックベタ部画素としている。
【００５３】
図６−（ｃ）を見てわかるように、この処理によってブラックとカラー間の１ドット内側のブラックの比較的デューティの高い領域のみが検出される。
【００５４】
《カラードット近傍画素データの検出》
図７はカラードット近傍画素データの検出処理のフローチャート図である。
【００５５】
着目画素にブラックドットが存在し、かつ、５×５マトリクス内に存在する総カラードット数が１以上であるか否かを判定する（Ｓ３０１）。もし、総カラードット数が１以上の場合は着目画素のビットをオンにする（Ｓ３０２）。そうでない場合には、着目画素のビットをオフにする（Ｓ３０３）。続いて、着目画素をシフトさせる（Ｓ３０４）。全てのデータが終了すれば終了（Ｓ３０５）とし、そうでなければ上記処理を繰り返す。ここでは、総カラードット数の閾値を１としたがインクの特性や記録装置の特性に合わせて最適な値を用いることが好ましい。
【００５６】
図８は、ブリーディング防止用のカラードット近接画素の検出例を図にしたものである。
【００５７】
図８−（ａ）は、着目画素を中心とした５×５マトリクスを表している。図８−（ｂ）はブラックオリジナル画像、図８−（ｃ）はカラードットエリア画像である。ブラックオリジナルデータとカラードットエリアデータに対して５×５マトリクスを順次１画素づつシフトさせながら処理を行う。マトリクス内の着目画素にブラックドットが存在し、かつ、カラー総ドット数が１以上の場合に着目画素のビットをオンにしていくと、図８−（ｄ）に表すようにカラードット近傍画素が検出できる。
【００５８】
図８−（ｄ）を見てわかるように、この処理によってブラックとカラー間の境界領域のみが検出される。この境界領域ではブラックとカラー間でのエッジ部とベタ部混在しているためブラックとカラー間のベタ部およびエッジ部を判断できない。
【００５９】
《Ｂｋベタ部データの生成》
図９は、Ｂｋベタ部データの生成例を図にしたものである。
【００６０】
図９−（ａ）は上記ブラック−ホワイト間ベタ部データの検出により検出したブラック−ホワイト間近傍ブラックベタ部画像を示し、図９―（ｂ）は上記ブラック−カラー間ベタ部データの検出により検出したブラック−カラー間近傍ブラックベタ部画像を示し、図９―（ｃ）は上記カラードット近傍画素データの検出により検出したカラードット近傍画素画像を示している。上記カラードット近傍画素画像と上記ブラックーカラー間近傍ブラックベタ部画像との論理積をとったものに上記ブラック−ホワイト間ベタ部データの検出により検出したブラック−ホワイトとで論理和をとることで、図９−（ｄ）のブラックベタ部画像を生成する。
【００６１】
図９−（ｄ）を見て判るようにブラック−ホワイト間のベタ部は２ドット内側で、ブラック−カラー間のベタ部は１ドット内側になっていることが判る。
【００６２】
《Ｂｋエッジ部データの生成》
図１０は、Ｂｋエッジ部データの生成例を図にしたものである。
【００６３】
図１０−（ａ）は上記Ｂｋベタ部データの生成により生成されたブラックベタ部画像を示し、図１０−（ｂ）はオリジナルブラックデータを示し、上記ブラックベタ部画像とオリジナルブラックデータの排他的論理和をとることで図１０−（ｃ）に示すブラックエッジ部画像を生成する。
【００６４】
図１０−（ｃ）を見て判るようにブラック−ホワイト間のエッジ部は２ドットで、ブラックーカラー間のエッジ部は１ドットになっていることが判る。
【００６５】
《印字用Ｂｋ部データの生成》
図１１は、Ｂｋベタ部間引きデータの生成例を図にしたものである。
【００６６】
図１１−（ａ）は上記Ｂｋベタ部データを示し、図１１−（ｂ）はＢｋ間引きマスクを示す。上記Ｂｋベタ部データに対しＢｋ間引きマスクと論理積をとることで図１１−（ｃ）のブラックベタ部間引き画素を生成する。
【００６７】
図１２は、印字用Ｂｋデータの生成例を図にしたものである。
【００６８】
図１２−（ａ）は上記Ｂｋベタ部間引きデータを示し、図１２−（ｂ）は上記Ｂｋエッジ部データを示す。上記Ｂｋベタ部間引きデータと上記Ｂｋエッジ部データと論理和をとることで図１２−（ｃ）の印字用ブラック画素を生成する。
【００６９】
（印字用カラーデータの生成）
《スミア防止用のカラー付与データの生成》
図１３は、スミア防止用のカラードット付与データの生成例を図にしたものである。図１３−（ａ）はブラックベタ部間引きデータである。図１３−（ｂ）〜（ｄ）は所定量の付与データを生成するためのシアン，マゼンタ，イエローのマスク１を表している。ここで、各色の付与データ量の割合はシアンを１６％、マゼンタを８％、イエローを８％とする。ブラックドット近接画素間引きデータと各色のマスク１との論理積をとることで図１３−（ｅ）〜（ｇ）の各色の付与データが生成される。ここで、各色の付与データの量およびマスクサイズはインクの特性や記録装置の構成に応じて、適切な値とすることが好ましい。また、マスク内のドットの配置方法は規則性を持たせてもよいし、疑似的にランダムにしてもよい。
【００７０】
《ブリーディング防止用のカラードット近接画素の検出》
図１４はエッジ部カラー付与選択カラー画像の生成例を図にしたものである。
【００７１】
図１４−（ａ）〜（ｃ）はオリジナルカラーデータを示しており、図１４−（ｄ）はエッジ部付与カラー選択により選択されたエッジ部カラー付与選択カラーデータを示す。オリジナルシアンデータを反転したデータとオリジナルイエローデータを反転したデータとの論理積をとり、生成されたデータとオリジナルマゼンタデータとをさらに論理積をとってデータを生成する。ここで生成されたデータと、マゼンタとイエローの二次色のデータ（つまり、マゼンタとイエローが付与されるレッドのデータ）との論理和をとることで、図１４−（ｄ）のエッジ部カラー付与選択カラーデータが生成される。このように、エッジ部カラー付与選択カラー画像はオリジナルＣｙａｎ，オリジナルＭａｇｅｎｔａ、オリジナルＹｅｌｌｏｗとを組み合わせて生成する。
【００７２】
図１４−（ｄ）はＭａｇｅｎｔａとＭａｇｅｎｔａとＹｅｌｌｏｗの二次色が選択されているがインクの特性や記録装置の特性に合わせて最適な色を選択することが好ましい。
【００７３】
図１５はブラックとカラー間のブリーディング防止用のエッジ部カラー付与画素の検出処理のフローチャート図である。
【００７４】
着目画素にブラックドットが存在し、かつ、３×３マトリクス内に存在する総エッジ部付与選択カラードット数が１以上であるか否かを判定する（Ｓ４０１）。もし、総エッジ部付与選択カラードット数が１以上の場合は着目画素のビットをオンにする（Ｓ４０２）。そうでない場合には、着目画素のビットをオフにする（Ｓ４０３）。続いて、着目画素をシフトさせる（Ｓ４０４）。全てのデータが終了すれば終了（Ｓ４０５）とし、そうでなければ上記処理を繰り返す。ここでは、総エッジ部付与選択カラードット数の閾値を１としたがインクの特性や記録装置の特性に合わせて最適な値を用いることが好ましい。
【００７５】
図１６は、ブリーディング防止用のカラードット近接画素の検出例を図にしたものである。
【００７６】
図１６−（ａ）は、着目画素を中心とした３×３マトリクスを表している。図１６−（ｂ）はブラックオリジナル画像、図１６−（ｃ）はエッジ部付与選択カラードットエリア画像（エッジ部カラー付与選択画像）である。ブラックオリジナルデータとエッジ部付与選択カラードットエリアデータに対して３×３マトリクスを順次１画素づつシフトさせながら処理を行う。マトリクス内のカラー総ドット数が１以上の場合に着目画素のビットをオンにしていくと、図１６−（ｄ）に表すようにブリーディング防止用のエッジ部付与カラー画素画像が検出できる。
【００７７】
図１６−（ｄ）を見てわかるように、この処理によってブラックと総エッジ部付与選択カラーの境界領域のみが検出される。境界領域にカラードットを付与することで境界ブリーディングを防止することが可能となる。
【００７８】
《ブリーディング防止用のカラー付与データの生成》
図１７は、ブリーディング防止用のカラー付与データの生成例を図にしたものである。図１７−（ａ）はエッジ部付与カラー画素データである。図１７−（ｂ）〜（ｄ）は所定量の付与データを生成するためのシアン，マゼンタ，イエローのマスク２を表している。ここで、各色の付与データ量の割合はシアンを１００％、マゼンタを１００％、イエローを１００％とする。エッジ部付与カラー画素データと各色のマスク２との論理積をとることで図１７−（ｅ）〜（ｇ）の各色の付与データが生成される。
【００７９】
ここで、図１７−（ｂ）〜（ｄ）では、付与データを生成するためのシアン、マゼンタ、イエローのマスクを、全て１００％のマスクとしているが、特定の色のみ多く付与するようなマスクを用いてもよい。例えば、ブラックインクに対してシアンインクのみが反応性をもち、凝集する（定着する）タイプのインクシステムの記録装置を想定した場合には、シアンの付与量を比較的多くし（例えば、１００％）、他色のインクの付与量を比較的少なくする（例えば、３０％）マスクを用いてもよい。各色の付与データの量およびマスクサイズはインクの特性や記録装置の構成に応じて、適切な値とすることが好ましい。また、マスク内のドットの配置方法は規則性を持たせてもよいし、疑似的にランダムにしてもよい。
【００８０】
《カラー間引き反転マスクの生成》
図１８はカラー間引き選択カラー画像の生成例を図にしたものである。
【００８１】
図１８−（ａ）〜（ｃ）はオリジナルカラーデータを示しており、図１８−（ｄ）は間引きカラー選択により選択されたカラー間引き選択カラー画像データを示す。この例ではとＹｅｌｌｏｗのみが選択されている。この間引きカラー選択は選択された色をオリジナルＣｙａｎ，オリジナルＭａｇｅｎｔａ、オリジナルＹｅｌｌｏｗとを組み合わせて生成する。
【００８２】
図１８−（ｄ）はＹｅｌｌｏｗのみ選択されているがインクの特性や記録装置の特性に合わせて最適な色を選択することが好ましい。
【００８３】
図１９はカラー間引きデータの検出処理のフローチャート図である。
【００８４】
着目画素にブラックドットが存在し、かつ、３×３マトリクス内に存在する間引き選択カラードット数が１以上であるか否かを判定する（Ｓ５０１）。もし、間引き選択カラードット数が１以上の場合は着目画素のビットをオンにする（Ｓ５０２）。そうでない場合には、着目画素のビットをオフにする（Ｓ５０３）。続いて、着目画素をシフトさせる（Ｓ５０４）。全てのデータが終了すれば終了（Ｓ５０５）とし、そうでなければ上記処理を繰り返す。ここでは、間引き選択カラードット数の閾値を１としたがインクの特性や記録装置の特性に合わせて最適な値を用いることが好ましい。
【００８５】
図２０は、ブリーディング防止用のカラードット近接画素の検出例を図にしたものである。
【００８６】
図２０−（ａ）は、着目画素を中心とした３×３マトリクスを表している。図２０−（ｂ）はブラックオリジナル画像、図２０−（ｃ）はカラー間引き選択カラー画像である。ブラックオリジナルデータとカラー間引き選択カラーデータに対して３×３マトリクスを順次１画素づつシフトさせながら処理を行う。マトリクス内のカラー総ドット数が１以上の場合に着目画素のビットをオンにしていくと、図２０−（ｄ）に表すようにブリーディング防止用のブラックーカラー間の間引き領域画素画像が検出できる。
【００８７】
図２０−（ｄ）を見てわかるように、この処理によってブラックとカラー間引き選択より選択されたカラーとの境界領域のみが検出される。境界領域のカラードット間引くことで境界ブリーディングを防止することが可能となる。
【００８８】
図２１にカラー間引き反転画像の生成例を示す。
【００８９】
図２１−（ａ）は、上記カラー間引き領域画素画像を示し、図２１−（ｂ）はカラー間引きマスクを示す。上記カラー間引き領域画素画に対し、上記カラー間引きマスクと否定論理積をとることで図２１−（ｃ）に示すカラー間引き反転画像を生成する。
【００９０】
《印字用カラーデータの生成》
図２２は印字用カラーデータの生成処理のフローチャート図である。
【００９１】
Ｂｋ−Ｗｈｉｔｅ間ベタ部データを検出する（Ｓ６０１）。続いて、Ｂｋ−Ｃｏｌｏｒ間ベタ部データを検出する（Ｓ６０２）。次にカラードット近傍画素データを検出（Ｓ６０３）し、これら検出データからＢｋベタ部データ生成する（Ｓ６０４）。次にＢｋベタ部データとオリジナルブラックデータとで排他的論理和をとることによりＢｋエッジ部データを生成する（Ｓ６０５）。続いて、Ｂｋベタ部をＢｋ間引きマスクとで論理積をとりＢｋベタ部間引きデータを生成し（Ｓ６０６）、Ｂｋエッジ部データとＢｋベタ部間引きデータとで論理和をとることで印字用ブラックデータを生成する（Ｓ６０７）。続いてＢｋベタ部間引きデータとシアン，マゼンタ，イエローのマスク１との論理積をとることでシアン，マゼンタ，イエローの付与データ１を生成する（Ｓ６０８）。次にエッジ部付与カラーデータの検出を行い（Ｓ６０９）、シアン，マゼンタ，イエローのマスク２との論理積をとることでシアン，マゼンタ，イエローの付与データ２を生成する（Ｓ６１０）。また、カラー間引きデータの検出を行い（Ｓ６１１）、カラー間引きデータとカラー間引きマスクとで否定論理積をとりカラー間引き反転マスク生成する（Ｓ６１２）最後に、オリジナルのシアン，マゼンタ，イエローデータと各色の付与データ１と各色の付与データ２ととの論理和をとったものと間引きカラー選択で選択されたカラーデータに合うカラー間引き反転マスクとで論理積をとることで、印字用シアン，マゼンタ，イエローデータとする（Ｓ３０７）。
【００９２】
図２３に印字用シアン，図２４に印字用マゼンタ，図２５に印字用イエローデータを示す。
【００９３】
以上説明したように、本実施形態によればブラックに隣接するカラーによりブラックデータのエッジとする部分の幅を変化させ、そのエッジ部の内側にあたるベタ部を間引き、間引いたブラックデータに対しスミア防止用下打ちを行い。また、ブラックに隣接するカラーにより境界ブリーディング防止用下打ちを行うか行わないか色ごとに切り替え、またブラックと隣接するカラーにより、その隣接するカラーデータを色ごとに間引く間引かないを切り替えることで、ブラックとホワイトの境界部のブラックには下打ちが行わすシャープで切れのある黒文字が記録可能であり、ブラックとカラーの境界部ではインクの特色に合わせて境界部のブラックには境界ブリーディング防止用の下打ちを行うか行わないかまた境界部のカラーを間引くか間引かないか切り替えが出来ることによりブラックとカラー間の境界ブリーディングを抑えた高画質なカラー画像を記録可能となる。
【００９４】
＜実施形態２＞
本実形態では、ブラックとカラーの解像度が違う場合たとえば、Ｂｋが６００ｄｐｉ、カラーが１２００ｄｐｉの場合に、カラードットエリアの検出を行うさいにカラーデータを１２００ｄｐｉから６００ｄｐｉにデータを縮退する圧縮処理と、印字用カラーデータを生成するさいに、カラー間引き反転マスクを生成する際にカラーデータを６００ｄｐｉから１２００ｄｐｉにデータを拡張する展開処理と、カラー付与データとオリジナルカラーデータと論理和を取る際にカラー付与データを６００ｄｐｉから１２００ｄｐｉにデータを拡張する展開処理とを行うことで、カラー付与を行う濃度と間引くカラーの割合をさらに細かく調節することができ境界リーディング防止およびスミア防止を計りながら黒文字品位を向上させる方法について説明する。
【００９５】
（カラードットエリアの検出）
図２６はカラードットエリアの検出例を図にしたものである。
【００９６】
図２６−（ａ）はオリジナルＣｙａｎ画像、図２６−（ｂ）はオリジナルＭａｇｅｎｔａ画像、図２６−（ｃ）はオリジナルＹｅｌｌｏｗ画像を示し、これらの論理和をとったものを図２６−（ｄ）に示す、上記ＣＭＹのＯＲ画像を図２６−（ｇ）の圧縮パターンにより圧縮する。この圧縮は注目する６００ｄｐｉの１ドット格子の中に、１２００ｄｐｉのドットが１つでもあれば注目する６００ｄｐｉをオンにし、なければオフにするものであり図２６−（ｆ）に示すようにカラードットエリア圧縮画像が検出できる。また、この圧縮は注目する６００ｄｐｉの１ドット格子の中の１２００ｄｐｉのドットの数は任意でインクの特性や記録装置の構成に応じて、適切な値とすることが好ましい。
【００９７】
（印字用カラーデータの生成）
《カラー間引き反転マスクの生成》
図２７は展開カラー間引き画像の生成例を図にしたものである。
【００９８】
上記生成例で、図２１−（ａ）は、上記カラー間引き領域画素画像を示し、図２１−（ｂ）はカラー間引きマスクを示す。上記カラー間引き領域画素画に対し、上記カラー間引きマスクと否定論理積をとることで図２１−（ｃ）に示すカラー間引き反転画像を生成していたが、上記カラー間引き領域画素画像と上記カラー間引きマスクとで論理積をとった図２７−（ａ）のカラー間引き画像を示す。このカラー間引き画像に図２７−（ｄ）の展開パターンとで論理積をとり反転させた図２７−（ｂ）のカラー間引き反転画像を示す。この展開処理は６００ｄｐｉ中のデータと設定する展開パターンと論理積をとることでデータを展開するものであり、この設定は任意でインクの特性や記録装置の構成に応じて、適切な値とすることが好ましい。
【００９９】
《印字用カラーデータの生成》
図２８は展開カラー付与データの生成例を図に示したものである。
【０１００】
上記処理により生成した図２８−（ａ）はシアン付与データ１と、図２８−（ｂ）はシアン付与データ２を示し、図２８−（ｃ）に上記シアン付与データ１とシアン付与データ２の論理和をとった図２８―（ｃ）のシアン付与データを示す。このシアン付与データに図２８−（ｅ）の展開パターンとで論理積をとった図２８−（ｄ）の展開シアン付与データ画像を示す。この展開処理は６００ｄｐｉ中のデータと設定する展開パターンと論理積をとることでデータを展開するものであり、この設定は任意でインクの特性や記録装置の構成に応じて、適切な値とすることが好ましい。
【０１０１】
上記展開シアン付与データ画像とオリジナルカラーデータとで論理和をとったものと間引きカラー選択で選択されたカラー間引き反転画像とで論理積をとることで印字用シアンデータを生成し、同様に印字用マゼンタ、印字用イエローデータを生成する。
【０１０２】
以上説明したように、本実施形態によればブラックとカラーとの解像度が違った場合でも、カラーエリアを検出する際の圧縮処理および、カラー間引き反転マスクを生成する際の展開処理、カラー付与データをオリジナルカラーデータと論理和をとる際の展開処理により、ブラックに隣接するカラーによりブラックデータのエッジとする部分の幅を変化させ、そのエッジ部の内側にあたるベタ部を間引き、間引いたブラックデータに対しスミア防止用下打ちを行い。また、ブラックに隣接するカラーにより境界ブリーディング防止用下打ちを行うか行わないか色ごとに切り替え、またブラックと隣接するカラーにより、その隣接するカラーデータを色ごとに間引く間引かないを切り替えることが可能でさらに付与するカラーカラーデータの量やカラーを間引く量を展開パターンにより設定することができることで、よりブラックとカラー間の境界ブリーディングを抑えた高画質なカラー画像を記録可能となる。
【図面の簡単な説明】
【０１０３】
【図１】実施形態１のデータの生成の流れを説明するブロック図である。
【図２】実施形態１のカラードットエリアの検出例を図にしたものである。
【図３】実施形態１のブラックーホワイト間ベタ部データの検出処理のフローチャート図である。
【図４】実施形態１のブラックーホワイト間ベタ部データの検出例を図にしたものである。
【図５】実施形態１のブラックーカラー間ベタ部データの検出処理のフローチャート図である。
【図６】実施形態１のブラックーカラー間ベタ部データの検出例を図にしたものである。
【図７】実施形態１のカラードット近傍画素データの検出処理のフローチャート図にしたものである。
【図８】実施形態１のブリーディング防止用のカラードット近接画素の検出例を図にしたものである。
【図９】実施形態１のＢｋベタ部データの生成例を図にしたものである。
【図１０】実施形態１のＢｋエッジ部データの生成例を図にしたものである。
【図１１】実施形態１のＢｋベタ部間引きデータの生成例を図にしたものである。
【図１２】実施形態１の印字用Ｂｋデータの生成例を図である。
【図１３】実施形態１のスミア防止用のカラードット付与データの生成例を図にしたものである。
【図１４】実施形態１のエッジ部カラー付与選択カラー画像の生成例を図である。
【図１５】実施形態１のブラックとカラー間のブリーディング防止用のエッジ部カラー付与画素の検出処理のフローチャート図にしたものである。
【図１６】実施形態１のブリーディング防止用のカラードット近接画素の検出例を図にしたものである。
【図１７】実施形態１のブリーディング防止用のカラー付与データの生成例を図である。
【図１８】実施形態１のカラー間引き選択カラー画像の生成例を図にしたものである。
【図１９】実施形態１のカラー間引きデータの検出処理のフローチャートを図にしたものである。
【図２０】実施形態１のブリーディング防止用のカラードット近接画素の検出例を図にしたものである。
【図２１】実施形態１のカラー間引き反転画像の生成例を図にしたものである。
【図２２】実施形態１の印字用カラーデータの生成処理のフローチャート図にしたものである。
【図２３】実施形態１の印字用シアンの生成例を図にしたものである。
【図２４】実施形態１の印字用マゼンタの生成例を図にしたものである。
【図２５】実施形態１の印字用イエローの生成例を図にしたものである。
【図２６】実施形態２のカラードットエリアの検出例を図にしたものである。
【図２７】実施形態２の展開カラー間引き画像の生成例を図にしたものである。
【図２８】実施形態２の展開カラー付与データの生成例を図にしたものである。
【図２９】本発明を適応可能なカラーインクジェット記録装置の一実施例の構成を示す概略斜視図である。
【図３０】本発明を適応可能な記録ヘッドの要部斜視図である。
【図３１】本発明を適応可能なインクジェット記録装置の制御ブロック図である。
【図１】
2006130778.tif 000003
【図２】
2006130778.tif 000004
【図３】
2006130778.tif 000005
【図４】
2006130778.tif 000006
【図５】
2006130778.tif 000007
【図６】
2006130778.tif 000008
【図７】
2006130778.tif 000009
【図８】
2006130778.tif 000010
【図９】
2006130778.tif 000011
【図１０】
2006130778.tif 000012
【図１１】
2006130778.tif 000013
【図１２】
2006130778.tif 000014
【図１３】
2006130778.tif 000015
【図１４】
2006130778.tif 000016
【図１５】
2006130778.tif 000017
【図１６】
2006130778.tif 000018
【図１７】
2006130778.tif 000019
【図１８】
2006130778.tif 000020
【図１９】
2006130778.tif 000021
【図２０】
2006130778.tif 000022
【図２１】
2006130778.tif 000023
【図２２】
2006130778.tif 000024
【図２３】
2006130778.tif 000025
【図２４】
2006130778.tif 000026
【図２５】
2006130778.tif 000027
【図２６】
2006130778.tif 000028
【図２７】
2006130778.tif 000029
【図２８】
2006130778.tif 000030
【図２９】
2006130778.tif 000031
【図３０】
2006130778.tif 000032
【図３１】
2006130778.tif 000033